(57)【要約】【課題】  交換可能に装着された清掃シートによる清掃面を広範囲に亘って被清掃面に押し付けて、被清掃面に存在するほこり、汚れ等を効率良く清掃シートに補集できるようにする。【解決手段】  弾性変形可能な板形状のシート押圧部１２と、シート押圧部１２の一端部１２ａに連接する柄部１３とを備え、シート押圧部１２に清掃シート１１を装着して用いる清掃具１０であって、シート押圧部１２は、他端部１２ｂの縁から帯板形状の長手方向Ｘに切り込まれたスリット１４を有すると共に、長手方向Ｘと垂直な断面が両側端部１２ｃから中央部分に向けて押圧面１５を凹面状に窪ませる形状を有しており、シート押圧部１２の少なくとも先端部分１２ｄを被清掃面１６に押圧することにより、押圧面１５を平坦にしつつスリット１４を広げてシート押圧部１２による押圧幅を拡幅する。シート押圧部１２の凹面状に窪んだ断面形状は、例えば円弧状に湾曲する形状となっている。【選択図】      図１
2006296712.tif 000002
【特許請求の範囲】
【請求項１】
弾性変形可能な板形状のシート押圧部と、該シート押圧部の一端部に連接する柄部とを備え、前記シート押圧部に清掃シートを交換可能に装着して用いる清掃具であって、
前記シート押圧部は、他端部の縁から前記シート押圧部の長手方向に切り込まれたスリットを有し、スリットにより隔離された少なくとも両側端の板状部が、向き合うように斜面を形成し、
前記シート押圧部の少なくとも先端部分を、両側端の板状部が向き合う斜面の開いた方向を被清掃面に向けて押圧することにより、前記スリットを広げて前記シート押圧部による押圧幅を拡幅する清掃具。
【請求項２】
前記シート押圧部の両側端の板状部が向き合う斜面は、前記長手方向と垂直な断面が円弧状に窪んで湾曲する凹状面の両側端部分を構成する請求項１に記載の清掃具。
【請求項３】
前記シート押圧部に装着される前記清掃シートは、伸縮可能なシート材料を用いて形成される請求項１又は２に記載の清掃具。
【請求項４】
前記シート押圧部に装着される前記清掃シートの清掃面となる部分には、前記板形状の長手方向と垂直な方向に拡開可能な拡開スリットが多数形成されている請求項３に記載の清掃具。
【請求項５】
前記シート押圧部に装着される前記清掃シートは、複数層のシート材料を用いて形成される請求項１〜４のいずれかに記載の清掃具。
【発明の詳細な説明】
【技術分野】
【０００１】
本発明は、清掃具に関し、特に、板形状のシート押圧部とこれの一端部に連接する柄部とを備え、シート押圧部に清掃シートを交換可能に装着して用いる清掃具に関する。
【背景技術】
【０００２】
例えば不織布等からなる使い捨て用の清掃シートを、合成樹脂製の本体部分に着脱交換可能に取り付けて用いるハンディモップ等の清掃具が知られている。これらの清掃具によれれば、清掃シートを洗い直して繰り返し使う必要がなく、例えば家庭内において簡便且つ手軽に清掃を行うことが可能になる。
【０００３】
また、偏平で水平な２本の差込板を根元から二股状に設けてシート装着部を形成し、これらの差込板を清掃シートに差し込むことによって当該清掃シートを装着すると共に、各差込板を、被清掃面への押圧時に容易にしなりが生じるように長さ及び厚みを設定して形成したハンディモップが開示されている（例えば、特許文献１参照）。特許文献１に記載のハンディモップでは、モップ本体（清掃シート）の上面に沿って形成した一対の挿入用の隙間に差込板を各々挿入することによって、モップ本体をワンタッチで装着部に交換可能に取り付けることができ、また差込板は、装着された清掃シートを被清掃面に押し付けた際にしなりがあることから、清掃対象物を傷つけることなく容易に被清掃面の清掃を行うことが可能なる。
【特許文献１】特開２００４−１６７２７４号公報
【発明の開示】
【発明が解決しようとする課題】
【０００４】
しかしながら、特許文献１に記載の清掃具によれば、清掃シートによる清掃面を被清掃面に押し付ける一対の差込板は、その幅が狭いものであることから、清掃シートによる清掃面を被清掃面に広範囲に亘ってバランス良く押し付けることができず、押圧力が中央部分に局所的に付加されるため、被清掃面に存在するごみ、ほこり、汚れ等を清掃面の広い領域に付着させながら効率良く補集することが困難だった。また、差込板が清掃シートを押圧する範囲が一定であるため、ごみ、ほこり、汚れ等を清掃シートの表面で付着させ、清掃シートの繊維間を利用して効率よく捕集することが困難であった。
【０００５】
一方、清掃シートによる清掃面を広範囲に亘って被清掃面に押し付けるには、シートを装着して押圧する部分の幅を広くすることが考えられるが、単に幅を広くすると、しなりを生じさせながら清掃シートを被清掃面に広範囲に亘って押し付けるのに大きな押圧力を要することになり、手軽に清掃を行うことが難しくなる。
【０００６】
本発明は、交換可能に装着された清掃シートによる清掃面を、適度な押圧力でしなりを生じさせながら広範囲に亘って被清掃面に押し付けることを可能にして、被清掃面に存在するごみ、ほこり、汚れ等を効率良く清掃シートに補集させることのできる清掃具を提供することを目的とする。
【課題を解決するための手段】
【０００７】
本発明は、弾性変形可能な板形状のシート押圧部と、該シート押圧部の一端部に連接する柄部とを備え、前記シート押圧部に清掃シートを交換可能に装着して用いる清掃具であって、前記シート押圧部は、他端部の縁から前記シート押圧部の長手方向に切り込まれたスリットを有し、スリットにより隔離された少なくとも両側端の板状部が、向き合うように斜面を形成し、前記シート押圧部の少なくとも先端部分を、両側端の板状部が向き合う斜面の開いた方向を被清掃面に向けて押圧することにより、前記スリットを広げて前記シート押圧部による押圧幅を拡幅する清掃具を提供することにより、上記目的を達成したものである。
【発明の効果】
【０００８】
本発明の清掃具によれば、交換可能に装着された清掃シートによる清掃面を、適度な押圧力でシート押圧部にしなりを生じさせながら広範囲に亘って被清掃面に押し付けることを可能にして、被清掃面に存在するごみ、ほこり、汚れ等を効率良く清掃シートに補集させることができる。また、押圧面の凹状面を清掃面に向けて押圧する際に、清掃シートの繊維間距離を広げる場合には、被清掃面に存在するごみ、ほこり、汚れ等を繊維間に効果的に捕集し、非押圧時には清掃シートの繊維間に捕集したごみ等の保持性を向上することができる。
【発明を実施するための最良の形態】
【０００９】
図１〜図５に示す本発明の好ましい一実施形態に係る清掃具１０は、例えば使い捨て用の清掃シート１１を着脱交換可能に装着して用いられ、好ましくは手で把持して室内や車内等における清掃対象物に付着したごみ、ほこり、汚れ等を、簡便且つ手軽に除去できるようにするものである。
【００１０】
本実施形態の清掃具１０は、弾性変形可能な板形状のシート押圧部１２と、このシート押圧部１２の一端部１２ａに連接する柄部１３とを備え、シート押圧部１２に清掃シート１１を交換可能に装着して用いる簡易な清掃用の器具であって、シート押圧部１２は、他端部１２ｂの縁から板形状の長手方向Ｘに切り込まれた1本以上（本実施形態では２本）のスリット１４を有すると共に、長手方向Ｘと垂直な断面が両側端部１２ｃから中央部分に向けて押圧面１５を凹面状に窪ませる形状を有し、スリット１４により隔離された少なくとも両側端の板状部が、向き合うように斜面を形成している（図３（ｂ）参照）。そして、本実施形態の清掃具１０は、シート押圧部１２の少なくとも先端部分１２ｄの凹状面を被清掃面１６に向けて押圧することにより、押圧面１５を平坦にしつつスリット１４を広げてシート押圧部１２による押圧幅を拡幅するようになっている。尚、シート押圧部１２の少なくとも先端部分１２ｄの凹面形状を被清掃面１６と反対に向けて押圧する場合には、スリット１４が狭まるようになっている。
【００１１】
また、本実施形態では、シート押圧部１２の長手方向Ｘと垂直な断面における両側端部１２ｃから中央部分に向けて押圧面１５を凹面状に窪ませる形状は、円弧状に湾曲する形状となっており、シート押圧部１２の両側端の板状部が向き合う斜面は、当該円弧状に窪んで湾曲する凹状面の両側端部分を構成している（図３（ｂ）参照）。
【００１２】
本実施形態の清掃具１０を構成するシート押圧部１２と柄部１３は、例えばポリプロピレン、ポリエチレン等の合成樹脂による成形品である。シート押圧部１２及び柄部１３は、好ましくは別部材として形成され、例えばシート押圧部１２の一端部１２ａに設けられた嵌着接合部１７に、柄部１３の先端部分に設けられた取付け部１８を嵌め込むようにして接合固定することにより、シート押圧部１２の一端部１２ａから斜め上方に柄部１３が一体として延設する清掃具１０が形成されることになる。また柄部１３は、手で把持しやすい形状及び大きさを備えていて、清掃シート１１を装着したシート押圧部１２を清掃対象物の被清掃面１６に押し付けながら前後左右にスライド移動させる操作を容易に行えるようになっている。
【００１３】
シート押圧部１２は、その平面形状が、例えば幅１０〜５０ｍｍ、長さ５０〜２００ｍｍ程度の大きさの、略縦長矩形の帯状の板形状を備えている。また、シート押圧部１２は、一端部１２ａの嵌着接合部１７が設けられた部分を除いて、例えば１〜１０ｍｍ程度の肉厚を有し、板形状の長手方向Ｘと垂直な断面は、好ましく曲率半径３０〜３００ｍｍ、中心角２０度以上、１８０度未満の円弧状に湾曲する形状を有している。これによってシート押圧部１２の下面側の押圧面１５は、両側端部１２ｃから中央部分に向けて窪んだ凹面形状を形成する。
【００１４】
さらに、シート押圧部１２は、柄部１２が接合固定された一端部１２ａとは反対側の他端部１２ｂの縁から一端部１２ａに向けて、板形状の長手方向Ｘに平行に延設する２本のスリット１４が、嵌着接合部１７が設けられた部分を除いた略前長に亘って形成されている。各スリット１４は、長手方向Ｘの中心線を挟んだ対称位置に設けられ、例えば３〜２０ｍｍのスリット幅を有している。なお、スリット１４は、押圧面１５が凹面形状となったシート押圧部１２を後述するように被清掃面１６に押圧した際に、スリット１４の幅を広げながら押圧面１５を平坦に変形させる機能を発揮できれば良いことから、単に切り込みを入れただけでスリット幅の極狭いものや、長手方向Ｘと平行でないもの、或いは直線状でないものであっても良い。
【００１５】
さらにまた、本実施形態では、シート押圧部１２におけるスリット１４の開始部となる他端部１１ｂの縁は、その両端の角部分に湾曲形状の面取り１９が施されており、これによって、シート押圧部１２のねじり変形に対する応力の分散が可能になる。
【００１６】
上述の構成を備える本実施形態の清掃具１０は、シート押圧部１２が板形状の長手方向Ｘに切り込まれた２本のスリット１４を有しており、且つ長手方向Ｘと垂直な断面が両側端部１２ｃから中央部分に向けて押圧面１５を凹面状に窪ませる円弧形状を有していることから、図３（ａ），（ｂ）に示す被清掃面１６への押圧前の、シート押圧部１２が略縦長矩形の平面形状及び円弧状に湾曲する断面形状を保持している状態から、図４（ａ），（ｂ）に示すように、例えばシート押圧部１２の先端部分１２ｄ側の略半分の部分の凹状面を被清掃面１６に向けて押圧した場合には、適度な押圧力でシート押圧部１２にしなりを生じさせながら、当該先端部分１２ｄ側の略半分の部分は、スリット１４を広げて容易に且つスムーズに押圧面１５を平坦に変形させつつ、シート押圧部１２による押圧幅を拡幅することになる。
【００１７】
これによって、図５に示すように、清掃具１０のシート押圧部１２に装着された清掃シート１１は、押圧幅を拡幅したシート押圧部１２の先端部分１２ｄ側を幅広に横方向に広げられ、下面側の清掃面２０を拡幅してその面積を広げると共に、スリット１４を広げて拡幅したシート押圧部１２によって広範囲に亘ってバランス良く被清掃面１６に押し付けられることにより、適度な押圧力で効率良く被清掃面１６を清掃することが可能になる。また、清掃シート１１は、シート押圧部１２によって拡幅されることによって、繊維間距離を広くされ、繊維間にごみ等を捕集容易とし、非押圧時に押圧部１２の拡幅状態が解除されると、清掃シート１１の繊維間距離の拡がりが狭くなることによって捕集したゴミ等の保持性を向上することができる。
【００１８】
尚、清掃具１０のシート押圧部１２の先端部分１２ｄの凹状面を被清掃面１６と反対側に向けて押圧した際には、スリット１４の間を狭めてシート押圧部１２による清掃範囲を狭めることができる。スリット１４の切れ込みに向ったテーパーや丸みを設けることによってスリット１４によって分離された押圧部１２が互いに重なりあうことによってさらに清掃範囲を狭めることができる。
【００１９】
なお、被清掃面１６に押し付けられる部分のシート押圧部１２の幅の広がりや、清掃シート１１による清掃面２０の幅の広がり、或いはこれらの押し付けられて幅が広がる部分の長さは、例えば図６に示すような清掃具１０の被清掃面１６への押付け角度θを調整したり、円弧状に湾曲するシート押圧部１２の曲率半径や中心角を調整することによって、適宜容易にコントロールすることができる。
【００２０】
そして、本実施形態では、シート押圧部１２に装着されて清掃面２０を形成する清掃シート１１として、例えば不織布、合成繊維を含んだ布、スポンジ、ウレタン等、使用に耐え得る強度を備える使い捨てが可能な種々の清掃用のシート材料を使用することができる。また伸縮可能なシート材料や、弾性伸縮可能なシート材料を用いて形成することが好ましく、弾性伸縮可能な不織布を用いることが特に好ましい。清掃シート１１を伸縮可能なシート材料を用いて形成することにより、図７（ａ），（ｂ）に示す被清掃面１６へ清掃具１０を押し付けていない状態と、図８（ａ），（ｂ）に示す被清掃面１６へ清掃具１０を押し付けた状態との切り替えに応じて、シート押圧部１２の幅が広がったり元の状態に戻るのに追随させて清掃シート１１を伸縮させることにより、清掃面２０を容易に拡幅したり幅を狭めたりすることが可能になる。
【００２１】
また、清掃シート１１は、例えばシート押圧部１２の平面形状よりも若干大きな一対の縦長矩形シート２１を重ね合わせると共に、これらを両側縁部に沿って例えば熱融着等によって接合することにより、帯状の扁平な袋として形成されている。これらの縦長矩形シート２１による扁平な袋の内部にシート押圧部１２を挿入することにより、清掃具１０に清掃シート１１が着脱可能に容易に装着されることになる。なお、清掃シート１１が一対の縦長矩形シート２１によって扁平な袋として形成されていることにより、上面と下面を反転させて装着し直し、清掃シート１１の両側の面を清掃面１５として用いることが可能になる。また、縦長矩形シート２１による扁平な袋の挿入部分の幅は、シート押圧部１２の幅と同じかこれよりも僅かに狭くしておくことが好ましい。これによって、清掃シート１１を極僅かに伸張させつつ、清掃具１０のシート押圧部１２に安定した状態で装着することが可能になる。
【００２２】
さらに、本実施形態では、清掃シート１１の上面及び下面の清掃面１５となる部分には、シート押圧部１２の長手方向Ｘと垂直な方向に拡開可能な拡開スリット２２が多数形成されている。拡開スリット２２は、清掃シート１１を構成する縦長矩形シート２１に、好ましくは１〜１５ｍｍの長さの切り込みを、例えばＦＬＸダイ（三條機械製作所製）を用いて清掃面１５の全体に亘って均等に分散配置して設けることによって形成される。また拡開スリット２２は、好ましくはシート押圧部１２の長手方向Ｘと平行な多数の列に沿って間隔をおいて設けられると共に、隣接する列における拡開スリット２２が千鳥状に配置された状態で形成される。
【００２３】
清掃シート１１の清掃面１５に拡開スリット２２が多数形成されていることにより、シート押圧部１２の先端部分１２ｄ側の部分を被清掃面１６に押圧して、シート押圧部１２による押圧幅を拡幅すると共に清掃シート１１による清掃面１５の幅を拡幅した際に、図８（ａ），（ｂ）に示すように、当該拡幅した清掃面１５における拡開スリット２２が、長手方向Ｘと垂直な方向に拡開することによって開孔部となり、被清掃面１６に押圧される清掃面１５を凹凸面として、被清掃面１６に存在するごみや汚れ等を掻き取って捕集する効果を向上させることが可能になる。また被清掃面１６への押圧を解除した際に、図７（ａ），（ｂ）に示すようにシート押圧部１２や清掃面１５が元の状態に復帰するのに伴って拡開スリット２２が閉じることにより、捕集したごみや汚れ等を拡開スリット２２の内部に保持することが可能になる。
【００２４】
さらにまた、本実施形態では、清掃シート１１を形成するシート材料である縦長矩形シート２１は、表面シ−ト２１ａと裏面シート２１ｂと重ね合わせた複数層（本実施形態では２層）のシート材料となっている。縦長矩形シート２１が複数層のシート材料から形成されていることにより、ごみや汚れ等の裏抜けを防止したり、被清掃面への傷付きを防止する利点が得られることになる。また表面シ−ト２１ａのみに拡開スリット２２を設けることが好ましいが、表面シ−ト２１ａと裏面シート２１ｂの双方に拡開スリット２２を形成しても良い。この場合、各シ−ト２１ａ，２１ｂに形成される拡開スリットは、その位置をずらしたり、大きさが異なるようにすることもできる。
【００２５】
そして、本実施形態の清掃具１０によれば、上述のような構成の清掃シート１１を取り付けて清掃対象物の清掃を行う際に、適度な押圧力でシート押圧部１２にしなりを生じさせながら、凹面形状の押圧面１５を平坦に変形させつつ、先端部分からシート押圧部１２及び清掃シート１１による清掃面１５をスムーズに拡幅させることにより、清掃面１５を広範囲に亘って被清掃面１６に押し付けることを可能にして、被清掃面１６に存在するごみ、ほこり、汚れ等を効率良く清掃シート１１に補集させることが可能になる。
【００２６】
また、シート押圧部１２により清掃シート１１を拡幅させることによって、清掃シート１１の繊維間距離を広げる場合には、被清掃面１６に存在するごみ、ほこり、汚れ等を広げられた繊維間に効果的に捕集し、非押圧時には清掃シートの繊維間に捕集したごみ等の保持性を向上することができる。この場合、清掃シート１１の幅が、シート押圧部１２の非押圧時の幅より広く押圧時に拡幅した幅より狭いことが好ましい。清掃シート１１は、伸縮性のあるシートが好ましい。
【００２７】
なお、本発明は上記実施形態に限定されることなく種々の変更が可能である。例えば、清掃具のシート押圧部や柄部は、合成樹脂成形品である必要は必ずしもなく、金属製や木製の薄板等を用いて形成することもでき、上記実施形態の清掃シート以外の種々の清掃シートを装着して用いることもできる。また、図９に示すように、シート押圧部１２の長手方向Ｘに切り込まれるスリット１４は、３本以上設けることもでき、１本のみ形成することもできる。さらに、清掃シート１１の清掃面１５となる部分に形成される多数の拡開スリット２２は、長手方向Ｘと垂直な方向に拡開可能なものであれば良く、例えば図１０（ａ），（ｂ）に示すように、長手方向Ｘに対して傾いたものや、曲線状のもの等であっても良い。さらにまた、シート押圧部１２の長手方向Ｘと垂直な断面の、両側端部から中央部分に向けて押圧面を凹面状に窪ませる形状は、円弧状に湾曲する形状の他、例えば図１１（ａ），（ｂ）に示すように、三角形状や、台形状等のその他の形状であって、長手方向に沿う窪みが延びる形状であっても良い。円弧状に湾曲する形状の場合、図１１（ｃ）に示すように、中心角が１８０度を越えない範囲で曲率半径を小さくすることもできる。また、シート押圧部１２の全体形状は、矩形形状であることが好ましいが、先端の幅が広い扇形状や台形形状、先端が狭い略三角形状、台形形状等、様々な形状が可能であるが、しなりを生じさせやすくするために、スリットに沿う方向が長く、スリットに直交する方向が短い形状が好ましい。
【図面の簡単な説明】
【００２８】
【図１】清掃シートを装着して用いる本発明の好ましい一実施形態に係る清掃具を説明する斜視図である。
【図２】清掃シートを装着した本発明の好ましい一実施形態に係る清掃具の斜視図である。
【図３】（ａ）は本発明の好ましい一実施形態に係る清掃具の斜視図、（ｂ）は（ａ）を先端側から見た略示正面図である。
【図４】（ａ）は本発明の好ましい一実施形態に係る清掃具を被清掃面に押し付けた状態の斜視図、（ｂ）は（ａ）を先端側から見た略示正面図である。
【図５】清掃シートを装着した清掃具を被清掃面に押し付けた状態の斜視図である。
【図６】清掃具を被清掃面に押し付けた際の押付け角度を説明する側面図である。
【図７】（ａ）は清掃シートを装着した清掃具の底面図、（ｂ）は（ａ）のＡ−Ａに沿った断面図である。
【図８】（ａ）は清掃シートを装着した清掃具を被清掃面に押し付けた状態の底面図、（ｂ）は（ａ）のＢ−Ｂに沿った断面図である。
【図９】本発明の好ましい他の清掃具を例示する斜視図である。
【図１０】（ａ），（ｂ）は、清掃シートの清掃面に形成される拡開スリットの他の形状を例示する部分底面図である。
【図１１】（ａ）〜（ｃ）は、シート押圧部の長手方向と垂直な断面の凹面状に窪んだ形状を例示する清掃具を先端側から見た略示正面図である。
【符号の説明】
【００２９】
１０  清掃具
１１  清掃シート
１２  シート押圧部
１２ａ  シート押圧部の一端部
１２ｂ  シート押圧部の他端部
１２ｃ  シート押圧部の側端部
１２ｄ  シート押圧部の先端部分
１３  柄部
１４  スリット
１５  押圧面
１６  被清掃面
１７  シート押圧部の嵌着接合部
１８  柄部の取付け部
１９  面取り
２０  清掃面
２１  縦長矩形シート
２１ａ  縦長矩形シートの表面シ−ト
２１ｂ  縦長矩形シートの裏面シ−ト
２２  拡開スリット
Ｘ    板形状のシート押圧部の長手方向
θ    押付け角度
【図１】
2006296712.tif 000003
【図２】
2006296712.tif 000004
【図３】
2006296712.tif 000005
【図４】
2006296712.tif 000006
【図５】
2006296712.tif 000007
【図６】
2006296712.tif 000008
【図７】
2006296712.tif 000009
【図８】
2006296712.tif 000010
【図９】
2006296712.tif 000011
【図１０】
2006296712.tif 000012
【図１１】
2006296712.tif 000013